(57)【要約】【課題】複数の記録媒体に効果的に画像データを記録する記録装置及び記録プログラム並びに記録媒体の提供。【解決手段】メディアやデジタルカメラなどから画像データを読み取るデータ入力手段と、読み取った画像データに基づいて、画像再生機器で再生可能なＶｉｄｅｏ−ＣＤ形式、ＤＶＤ−Ｖｉｄｅｏ形式、ＨＤＴＶ形式のデータを生成するデータ生成手段と、複数の記録媒体に、記録順を考慮して画像データや画像再生機器用データなどを記録するデータ記録手段と、複数の記録媒体を対応付ける情報を印刷する対応付け情報印刷手段とを備え、複数の記録媒体の各々に、読み取った画像データ又は画像再生機器用データの少なくとも一方が記録されるため画像データを確実に保管することができ、また、複数の記録媒体の各々に対応付け情報が目視可能に印刷されるため所望の記録媒体を簡単に探し出すことができる。【選択図】図８
2006024308.tif 000002
【特許請求の範囲】
【請求項１】
画像データを読み取る第１の手段と、
読み取った前記画像データに基づいて他の形式のデータを生成する第２の手段と、
複数の記録媒体の各々に、前記画像データ及び前記他の形式のデータを含む同一の構成のデータを記録する第３の手段と、を少なくとも備えることを特徴とする記録装置。
【請求項２】
画像データを読み取る第１の手段と、
読み取った前記画像データに基づいて他の形式のデータを生成する第２の手段と、
複数の記録媒体の各々に、前記画像データ又は前記他の形式のデータのいずれかを含む異なる構成のデータを記録する第３の手段と、を少なくとも備えることを特徴とする記録装置。
【請求項３】
前記第３の手段では、前記画像データのみが記録される記録媒体に対するデータの記録を、少なくとも前記他の形式のデータが記録される記録媒体に対するデータの記録よりも先に実行することを特徴とする請求項２記載の記録装置。
【請求項４】
前記記録装置に前記記録媒体を装填する装填手段を複数備え、
前記第３の手段では、複数の前記装填手段の各々に装填された前記複数の記録媒体に対して、同時にデータを記録することを特徴とする請求項１又は２に記載の記録装置。
【請求項５】
更に、前記複数の記録媒体を対応付ける対応付け情報を印刷する手段を備え、
前記複数の記録媒体の各々に、前記対応付け情報が印刷、又は、該対応付け情報が印刷された印刷物が貼付又は添付されることを特徴とする請求項１乃至４のいずれか一に記載の記録装置。
【請求項６】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１乃至５のいずれか一に記載の記録装置。
【請求項７】
コンピュータを、
画像データを読み取る第１の手段、
読み取った前記画像データに基づいて他の形式のデータを生成する第２の手段、
複数の記録媒体の各々に、前記画像データ及び前記他の形式のデータを含む同一の構成のデータを記録する第３の手段、として機能させることを特徴とする記録プログラム。
【請求項８】
コンピュータを、
画像データを読み取る第１の手段、
読み取った前記画像データに基づいて他の形式のデータを生成する第２の手段、
複数の記録媒体の各々に、前記画像データ又は前記他の形式のデータのいずれかを含む異なる構成のデータを記録する第３の手段、として機能させることを特徴とする記録プログラム。
【請求項９】
前記第３の手段に、前記画像データのみが記録される記録媒体に対するデータの記録を、少なくとも前記他の形式のデータが記録される記録媒体に対するデータの記録よりも先に実行させることを特徴とする請求項８記載の記録プログラム。
【請求項１０】
前記複数の記録媒体を装填する複数の装填手段を用いて、
前記第３の手段に、複数の前記装填手段の各々に装填された前記複数の記録媒体に対して、同時にデータを記録させることを特徴とする請求項７又は８に記載の記録プログラム。
【請求項１１】
コンピュータを、更に、
前記複数の記録媒体を対応付ける対応付け情報を印刷する手段として機能させ、
前記複数の記録媒体の各々に、前記対応付け情報を印刷、又は、該対応付け情報が印刷された印刷物を貼付又は添付させることを特徴とする請求項７乃至１０のいずれか一に記載の記録プログラム。
【請求項１２】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項７乃至１１のいずれか一に記載の記録プログラム。
【請求項１３】
組として利用される複数の記録媒体であって、
前記複数の記録媒体の各々の記録面には、読み取った前記画像データ、及び、該画像データに基づいて生成された他の形式のデータを含む同一の構成のデータが記録され、
前記複数の記録媒体の各々の目視可能な位置には、前記複数の記録媒体を対応付ける対応付け情報が印刷又は該対応付け情報が印刷された印刷物が貼付又は添付されていることを特徴とする記録媒体。
【請求項１４】
組として利用される複数の記録媒体であって、
前記複数の記録媒体の各々の記録面には、読み取った前記画像データ、又は、該画像データに基づいて生成された他の形式のデータのいずれかを含む異なる構成のデータが記録され、
前記複数の記録媒体の各々の目視可能な位置には、前記複数の記録媒体を対応付ける対応付け情報が印刷又は該対応付け情報が印刷された印刷物が貼付又は添付されていることを特徴とする記録媒体。
【請求項１５】
前記記録媒体の論理アドレス領域外に、該記録媒体を識別するための情報が記録されていることを特徴とする請求項１３又は１４に記載の記録媒体。
【請求項１６】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１３乃至１５のいずれか一に記載の記録媒体。
【発明の詳細な説明】
【技術分野】
【０００１】
本発明は、複数の記録媒体に画像データを記録する記録装置及び記録プログラム並びに記録媒体に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤやＤＶＤ−Ｖｉｄｅｏなどの形式のデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
上記サービスを利用することにより、オリジナルの画像データと画像再生機器用のデータとが記録された記録媒体を入手することができ、この記録媒体を用いれば、パーソナルコンピュータなどのコンピュータ機器でもＤＶＤプレーヤやＤＶＤレコーダなどの画像再生機器でも画像データに基づく画像を表示させることができるが、コンピュータ機器と画像再生機器とは異なる場所に設置されることが多く、双方の機器で画像を鑑賞したい場合には、鑑賞の度に記録媒体を移動させなければならず不便である。
【０００５】
また、画像データの保管の目的で上記記録媒体を作成する場合には、記録媒体が破損しないようにその取り扱いに注意しなければならないが、画像再生機器は頻繁に記録媒体を出し入れして使用するものであるため、誤って記録媒体を損傷して画像データの読み出しができなくなる場合もある。そのため１枚の記録媒体では画像データを安全かつ確実に保管することができない。
【０００６】
更に、このような不慮の破損を考慮して記録媒体を複製することもできるが、単に画像データを別の記録媒体に複製するだけではオリジナルの記録媒体と複製した記録媒体との対応関係が分からなくなりやすく、特に、上記サービスを頻繁に利用するユーザの場合は、所望の記録媒体を簡単に探し出すことができなくなってしまう。
【０００７】
本発明は、上記問題点に鑑みてなされたものであって、その主たる目的は、複数の記録媒体に効果的に画像データを記録する記録装置及び記録プログラム並びに記録媒体を提供することにある。
【課題を解決するための手段】
【０００８】
上記目的を達成するため、本発明の記録装置は、画像データを読み取る第１の手段と、読み取った前記画像データに基づいて他の形式のデータを生成する第２の手段と、複数の記録媒体の各々に、前記画像データ及び前記他の形式のデータを含む同一の構成のデータを記録する第３の手段と、を少なくとも備えるものである。
【０００９】
また、本発明の記録装置は、画像データを読み取る第１の手段と、読み取った前記画像データに基づいて他の形式のデータを生成する第２の手段と、複数の記録媒体の各々に、前記画像データ又は前記他の形式のデータのいずれかを含む異なる構成のデータを記録する第３の手段と、を少なくとも備えるものである。
【００１０】
本発明においては、前記第３の手段では、前記画像データのみが記録される記録媒体に対するデータの記録を、少なくとも前記他の形式のデータが記録される記録媒体に対するデータの記録よりも先に実行する構成とすることができる。
【００１１】
また、本発明においては、前記記録装置に前記記録媒体を装填する装填手段を複数備え、前記第３の手段では、複数の前記装填手段の各々に装填された前記複数の記録媒体に対して、同時にデータを記録する構成とすることもできる。
【００１２】
また、本発明においては、更に、前記複数の記録媒体を対応付ける対応付け情報を印刷する手段を備え、前記複数の記録媒体の各々に、前記対応付け情報が印刷、又は、該対応付け情報が印刷された印刷物が貼付又は添付される構成とすることもできる。
【００１３】
また、本発明においては、前記他の形式のデータは、Ｖｉｄｅｏ−ＣＤ形式、ＤＶＤ−Ｖｉｄｅｏ形式、又は、ＨＤＴＶ形式のいずれかの形式のデータであることが好ましい。
【００１４】
また、本発明の記録プログラムは、コンピュータを、画像データを読み取る第１の手段、読み取った前記画像データに基づいて他の形式のデータを生成する第２の手段、複数の記録媒体の各々に、前記画像データ及び前記他の形式のデータを含む同一の構成のデータを記録する第３の手段、として機能させるものである。
【００１５】
また、本発明の記録プログラムは、コンピュータを、画像データを読み取る第１の手段、読み取った前記画像データに基づいて他の形式のデータを生成する第２の手段、複数の記録媒体の各々に、前記画像データ又は前記他の形式のデータのいずれかを含む異なる構成のデータを記録する第３の手段、として機能させるものである。
【００１６】
また、本発明の記録媒体は、組として利用される複数の記録媒体であって、前記複数の記録媒体の各々の記録面には、読み取った前記画像データ、及び、該画像データに基づいて生成された他の形式のデータを含む同一の構成のデータが記録され、前記複数の記録媒体の各々の目視可能な位置には、前記複数の記録媒体を対応付ける対応付け情報が印刷又は該対応付け情報が印刷された印刷物が貼付又は添付されているものである。
【００１７】
また、本発明の記録媒体は、組として利用される複数の記録媒体であって、前記複数の記録媒体の各々の記録面には、読み取った前記画像データ、又は、該画像データに基づいて生成された他の形式のデータのいずれかを含む異なる構成のデータが記録され、前記複数の記録媒体の各々の目視可能な位置には、前記複数の記録媒体を対応付ける対応付け情報が印刷又は該対応付け情報が印刷された印刷物が貼付又は添付されているものである。
【００１８】
本発明においては、前記記録媒体の論理アドレス領域外に、該記録媒体を識別するための情報が記録されている構成とすることができる。
【００１９】
このように、本発明の構成によれば、記録装置では、メディアやデジタルカメラなどから画像データを読み取り、読み取った画像データに基づいてＤＶＤプレーヤ、ＤＶＤレコーダ、ＨＤＤレコーダ、ゲーム機などの画像再生機器で再生可能なデータを生成し、複数の記録媒体の各々に同一のデータを記録、又は、複数の記録媒体の各々に少なくとも一部が異なるデータを記録するため、１つの記録媒体が損傷しても他方の記録媒体を用いて画像を再生することができ、また、コンピュータ機器や画像再生機器などの複数の機器で同時に画像を再生することができる。また、上記複数の記録媒体には、目視できる位置（例えば、ディスク型記録媒体のレーベル面や記録媒体のケースなど）に、複数の記録媒体を対応付ける情報が付加されているため、記録媒体が多数保管されている場合であっても所望の記録媒体を簡単に探し出すことができる。
【発明の効果】
【００２０】
以上説明したように、本発明の記録装置及び記録プログラム並びに記録媒体によれば、下記記載の効果を奏する。
【００２１】
本発明の第１の効果は、画像データを安全かつ確実に保管することができるということである。
【００２２】
その理由は、記録装置に、画像データを読み取るデータ入力手段と、読み取った画像データに基づいて画像再生機器用のデータを生成するデータ生成手段と、複数の記録媒体の各々に読み取った画像データ又は画像再生機器用データを記録するデータ記録手段とを備え、複数の記録媒体の各々に画像データと画像再生機器用データの双方又は少なくとも一方が記録されるため、１つの記録媒体が損傷しても他方の記録媒体を用いて画像を再生することができからである。
【００２３】
また、本発明の第２の効果は、記録媒体が多数保管されている場合であっても、所望の記録媒体を簡単に探し出すことができるということである。
【００２４】
その理由は、記録装置に対応付け情報印刷手段を備え、複数の記録媒体の各々に、互いを対応付ける情報が目視可能な状態で印刷又は貼付又は添付されるからである。
【００２５】
また、本発明の第３の効果は、効率的に複数の記録媒体を作成することができるということである。
【００２６】
その理由は、データ記録手段では、読み取った画像データ（コンピュータ機器用データ）と画像再生機器用データとを別々の記録媒体に書き込む際に、コンピュータ機器用データを一方の記録媒体に書き込む処理を先行して行うため、記録中に画像再生機器用データを生成する処理を並行して行う等、記録装置内の処理を効率的に実行することができるからである。
【発明を実施するための最良の形態】
【００２７】
本発明の記録装置は、その好ましい一実施の形態において、メディアやデジタルカメラなどから画像データを読み取るデータ入力手段と、読み取った画像データに基づいて、ＤＶＤプレーヤ、ＤＶＤレコーダ、ＨＤＤレコーダ、ゲーム機などの画像再生機器で再生可能なＶｉｄｅｏ−ＣＤ形式、ＤＶＤ−Ｖｉｄｅｏ形式、ＨＤＴＶ形式のデータを生成するデータ生成手段と、複数の記録媒体に、記録順を考慮して読み取った画像データや画像再生機器用データなどを記録するデータ記録手段と、複数の記録媒体を対応付ける情報を印刷する対応付け情報印刷手段とを備えるものであり、複数の記録媒体の各々に、読み取った画像データ又は画像再生機器用データの少なくとも一方が記録されるため、画像データを確実に保管することができる。また、複数の記録媒体の各々に対応付け情報が目視可能に印刷又は貼付又は添付されるため、所望の記録媒体を簡単に探し出すことができる。
【実施例１】
【００２８】
上記実施形態について詳細に説明すべく、本発明の第１の実施例に係る記録装置及び記録プログラム並びに記録媒体について、図１乃至図１３を参照して説明する。図１は、本実施例に係る記録装置の構成を模式的に示す外観図であり、図２乃至図５は、そのバリエーションを示す図である。また、図６は、記録装置の機能を示すブロック図であり、図７は、本実施例の記録装置を用いた画像データの記録手順を示すフローチャート図である。また、図８乃至図１０は、記録媒体の外観構成を示す図、図１１は記録媒体（ＣＤ−Ｒ）の構造を模式的に示す図、図１２は、記録媒体のフォルダ構造の一例を示す図である。また、図１３は、記録装置の表示手段に表示される画面の構成例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２９】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部等と、ＣＤ−Ｒ／ＲＷやＤＶＤ±Ｒ／ＲＷ、ＤＶＤ−ＲＡＭ、Ｂｌｕ−ｒａｙディスク等の第１の記録媒体９ａ及び第２の記録媒体９ｂなどの複数の記録媒体を装填する記録媒体装填部４と、ボタン、キーボード、マウス等の操作手段６及びＬＣＤ、ＣＲＴ等の表示手段５とを備えている。
【００３０】
また、記録装置１に備える主な手段をブロック図で示すと図６のようになり、メディア装填部２や機器接続部３、ネットワーク接続部などを用いて画像データ（静止画像データ、動画データ、画像情報を含むデータを総称して画像データと呼ぶ。）を入力するデータ入力手段１２と、必要に応じて、画像データのデータサイズを縮小したサムネイル画像データやスクリーンネイル画像データなどの縮小画像データを作成したり、画像データをＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成するデータ生成手段１３と、複数の記録媒体（第１の記録媒体９ａ及び第２の記録媒体９ｂ）にオリジナルの画像データや生成されたデータなどを記録するデータ記録手段１４と、複数の記録媒体を対応付ける情報を印刷する対応付け情報印刷手段１５と、データの記録形態などを選択させるための表示手段５及び操作手段６とを備えている。
【００３１】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしてもよいし、演算処理機能を備えたカーナビゲーション機器などとすることもできる。また、図１では、記録装置１に記録媒体装填部４を１つ備える構成を示しているが、記録媒体装填部４を複数備える構成としてもよい。また、上記各手段は記録装置１にハードウェアとして構成されていてもよいが、少なくとも、コンピュータを、データ入力手段１２、データ生成手段１３、データ記録手段１４として機能させる記録プログラムとして構成し、該記録プログラムを記録装置１にインストールして実行する構成としてもよい。
【００３２】
次に、上記構成の記録装置１（記録プログラム）を用いて複数の記録媒体に画像データを記録する手順について、図７のフローチャート図を参照して説明する。なお、以下では、第１の記録媒体９ａと第２の記録媒体９ｂの２つの記録媒体にデータを記録する場合について記載するが、３つ以上の記録媒体にデータを記録する場合でも同様に適用することができる。
【００３３】
まず、ステップＳ１０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの第１の記録媒体９ａを装填する。この第１の記録媒体９ａとしてどのような記録媒体を用いてもよいが、画像データの不正なコピーを未然に防止するために、所定の識別情報が書き込まれている記録媒体のみを用いることもできる。その場合は、ステップＳ１０２で、第１の記録媒体９ａの特定の領域から識別情報を読み出す。その際、上記識別情報は適正な記録媒体にデータを記録するために設けるものであるため、識別情報の記録場所や中身が容易に知られてしまうと識別情報自体もコピーされてしまい、適正にデータを記録することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３４】
ここで、一般的な記録媒体の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００３５】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００３６】
次に、所定の識別情報が記録されている場合は、ステップＳ１０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０４で、データ入力手段１２を用いて、デジタルカメラ７やメディア８、サーバ１１から画像データを読み取る。その際、表示手段５や操作手段６を用いて記録媒体に書き込みを行う画像データを選択してもよい。
【００３７】
次に、ステップＳ１０５で、必要に応じて、データ生成手段１３を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３８】
次に、ステップＳ１０６で、データ生成手段１３を用いて、読み取った画像データに基づいて動画データを生成した後、該動画データをＤＶＤプレーヤやＤＶＤレコーダ、ＨＤＤレコーダ、ゲーム機等の画像再生機器３０で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３９】
次に、ステップＳ１０７で、各種データを第１の記録媒体９ａに書き込むが、その際、画像再生機器では所定の領域（ディスク型記録媒体の内側）に記録されたデータしか読み出すことができないため、データ記録手段１４を用いて、まず、生成された画像再生機器用データや関連付けファイル等（以下、これらを総称して画像再生機器用データ群と呼ぶ。）を第１の記録媒体９ａの内側に書き込み、続いて、オリジナル画像データや必要に応じて縮小画像データや情報ファイル、音楽データなど（以下、これらを総称してコンピュータ機器用データ群と呼ぶ。）を画像再生機器用データ群の外側に書き込む。
【００４０】
次に、ステップＳ１０８で、対応付け情報印刷手段１５を用いて、第１の記録媒体９ａの所定の位置（例えば、レーベル面）に、この第１の記録媒体９ａと後に作成する第２の記録媒体９ｂとを対応付けるための対応付け情報を印刷する。この対応付け情報の具体的構成は限定されず、例えば、図８（ｃ）に示すように、予め定められたルールに従って生成される識別情報に枝番を付加した文字情報などを利用してもよいし、図９（ａ）に示すように、文字情報に代えて又は文字情報と共に、ステップＳ１０５で作成したサムネイル画像データに基づく画像やイラストなどの画像情報を利用してもよい。また、図１０（ａ）に示すように、上記対応付け情報を第１の記録媒体９ａに直接印刷する代わりに、対応付け情報を記載したシール１６などを印刷してユーザ自らが該シール１６を第１の記録媒体９ａやケースなどに貼付してもよいし、対応付け情報が記載されたインデックスプリントなどを印刷して第１の記録媒体９ａに添付してもよい。その後、ステップＳ１０９で第１の記録媒体９ａを記録媒体装填部４から排出する。
【００４１】
次に、ステップＳ１１０で、記録媒体装填部４にＣＤ−Ｒ／ＲＷやＤＶＤ±Ｒ／ＲＷ、ＤＶＤ−ＲＡＭ、Ｂｌｕ−ｒａｙディスクなどの第２の記録媒体９ｂを装填する。その際、第２の記録媒体９ｂを作成するかをユーザに選択させるために、表示手段５に図１３に示すような選択画面１７ａを表示し、ユーザの選択に従って第２の記録媒体９ｂを作成するか否かを判断するようにしてもよい。なお、この選択画面１７ａは必ずしもこのステップで表示する必要はなく、ステップＳ１０１で第１の記録媒体９ａを装填する前に表示してもよい。
【００４２】
次に、第１の記録媒体９ａと同様に、所定の識別情報が書き込まれている記録媒体のみを用いる場合は、ステップＳ１１１で、第２の記録媒体９ｂの特定の領域（好ましくは論理アドレス領域外）から識別情報を読み出す。
【００４３】
次に、第１の記録媒体９ａと同様に、ステップＳ１１２で、データ記録手段１４を用いて、生成された画像再生機器用データや関連付けファイル等の画像再生機器用データ群を書き込み、続いて、オリジナル画像データや縮小画像データ、情報ファイル、音楽データなどのコンピュータ機器用データ群を書き込む。
【００４４】
そして、ステップＳ１１３で、対応付け情報印刷手段１５を用いて、図８（ｄ）、図９（ｂ）、図１０（ｂ）に示すように、第２の記録媒体９ａの所定の位置（例えば、レーベル面）に、第１の記録媒体９ａに印刷した対応付け情報と同じ又はその対応関係が明確な対応付け情報を印刷する。その後、ステップＳ１１４で第２の記録媒体９ｂを記録媒体装填部４から排出して処理を終了する。
【００４５】
上記手順で作成された第１の記録媒体９ａ及び第２の記録媒体９ｂの記録面には図８（ａ）、（ｂ）に示すように同一のデータが記録される。なお、第１の記録媒体９ａ及び第２の記録媒体９ｂにおけるデータの記録構造は任意であるが、例えば、図１２に示すように、”PS_Roll”フォルダ内の画像データ、サムネイル画像データ、スクリーンネイル画像データなどの複数の種別の画像データ（画像データ群）と、第１の記録媒体９ａの識別情報などが記録された情報ファイル（info.txt）、”APPL”フォルダ内のスライドショープログラム、スライドショーの設定ファイル、自動起動ファイル（Autorun.inf）などの他のデータ群とでコンピュータ機器用データ群を構成し、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群を構成することができる。
【００４６】
また、上記画像データ群の記録に際して、画像データ群をデータ管理装置などにバックアップした場合における管理を容易にするために、予め定められたルールに従ってフォルダを構成し、そのフォルダや画像データにユニークな名称を付与することが好ましい。例えば、図１２に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）を作成したり、各々の画像データをCCYYMMDDxxxxxx（CC：画像データの種別、YYMMDD：書き込み年月日を特定する数字、xxxxxx：シーケンシャル番号）などにリネームすることができる。
【００４７】
なお、上記フローでは、第１の記録媒体９ａ及び第２の記録媒体９ｂの双方に、画像再生機器用データ群とコンピュータ機器用データ群とを記録したが、本実施例は双方の記録媒体に同一のデータが記録されていればよく、例えば、双方の記録媒体に、画像再生機器用データ群のみ、又は、コンピュータ機器用データ群のみを記録したり、双方の記録媒体に、コンピュータ機器用データ群の中のオリジナルの画像データのみを記録する構成としてもよい。
【００４８】
また、上記説明は、記録装置１に記録媒体装填部４を１つ備える場合の手順であるが、記録装置１に複数の記録媒体装填部４を備える場合は、ステップＳ１０１で複数の記録媒体装填部４の各々に第１の記録媒体９ａ又は第２の記録媒体９ｂを装填し、ステップＳ１０７で、データ記録手段１４を用いて第１の記録媒体９ａ及び第２の記録媒体９ｂに同時にデータを書き込むことができ、記録媒体の作成に要する時間を短縮することができる。
【００４９】
このように、本実施例の記録装置１では、複数の記録媒体（第１の記録媒体９ａ及び第２の記録媒体９ｂ）に、同一のデータ（コンピュータ機器用データ群及び画像再生機器用データ群）が記録されるため、ユーザは一方の記録媒体をコンピュータ機器用、他方の記録媒体を画像再生機器用などとして使い分けたり、一方の記録媒体をバックアップ用として画像データを確実に保管することができる。また、複数の記録媒体の各々には、所定の対応付け情報が目視できるように付加されているため、頻繁に記録媒体を作成する場合であっても、所望の記録媒体を簡単に探し出すことができる。
【実施例２】
【００５０】
次に、本発明の第２の実施例に係る記録装置及び記録プログラム並びに記録媒体について、図１４乃至図１９を参照して説明する。図１４は、本実施例に係る記録装置の構成を模式的に示す外観図であり、図１５及び図１６は、本実施例の記録装置を用いた画像データの記録手順を示すフローチャート図である。また、図１７は、記録媒体の外観構成を示す図、図１８は、記録媒体のフォルダ構造の一例を示す図であり、図１９は、記録装置の表示手段に表示される画面の構成例を示す図である。
【００５１】
前記した第１の実施例では、第１の記録媒体９ａと第２の記録媒体９ｂとに同一のデータを記録したが、画像再生機器３０で記録媒体を利用する場合は、該記録媒体にコンピュータ機器用データが記録されていてもそのデータを利用することはできず、また、コンピュータ機器２０で記録媒体を利用する場合も、該記録媒体に画像再生機器用データが記録されていてもそのデータを利用することはできない。そのため、双方の記録媒体に無駄なデータが記録されていることになり、その分データの記録にも時間がかかってしまう。そこで、本実施例では、図１４に示すように、複数の記録媒体の各々に、利用する機器に適したデータ（図１では第１の記録媒体９ａにコンピュータ機器用のデータ、第２の記録媒体９ｂに画像再生機器用のデータ）を記録し、記録媒体の記録容量を有効に使用すると共にデータの記録時間を短縮して効率的に記録媒体を作成する。
【００５２】
その場合のデータの記録手順について、図１５のフローチャート図を参照して説明する。なお、以下では、記録媒体として第１の記録媒体９ａと第２の記録媒体９ｂの２つにデータを記録する場合について記載するが、第１の実施例と同様に、３つ以上の記録媒体にデータを記録する場合でも同様に適用することができる。
【００５３】
まず、ステップＳ２０１で、複数の記録媒体に同一のデータを記録するのか、異なるデータを記録するのかをユーザに選択させるために、表示手段５に図１９に示すような選択画面１７ｂを表示する。そして、複数の記録媒体に同一のデータを記録する場合（図の兼用ディスクを２枚作る）を選択した場合は、第１の実施例の手順に従って処理を行い、複数の記録媒体に異なるデータを記録する場合（図の専用ディスクを１枚ずつ作る）を選択した場合は以下の手順に従って処理を行う。
【００５４】
次に、ステップＳ２０２で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの第１の記録媒体９ａを装填する。そして、第１の記録媒体９ａとして所定の識別情報が書き込まれている記録媒体を用いる場合は、ステップＳ２０３で、第１の記録媒体９ａの特定の領域（好ましくは論理アドレス領域外）から識別情報を読み出す。なお、第１の実施例と同様に、この識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。また、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００５５】
次に、所定の識別情報が記録されている場合は、ステップＳ２０４で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ２０５で、データ入力手段１２を用いて、デジタルカメラ７やメディア８、サーバ１１から画像データを読み取る。その際、表示手段５や操作手段６を用いて記録媒体に書き込みを行う画像データを選択してもよい。
【００５６】
次に、ステップＳ２０６で、必要に応じて、データ生成手段１３を用いて、読み取った画像データのデータサイズを縮小したサムネイル画像データやスクリーンネイル画像データなどの縮小画像データを作成する。
【００５７】
次に、前記した第１の実施例では、第１の記録媒体９ａにも画像再生機器用データを記録したため、読み取った画像データに基づいて画像再生機器用データを生成したが、本実施例では、第１の記録媒体９ａはコンピュータ機器で使用することを前提としているためこのステップで画像再生機器用データを生成する必要はなく、ステップＳ２０７で、データ記録手段１４を用いて、オリジナル画像データや必要に応じて縮小画像データや情報ファイル、音楽データなどのコンピュータ機器用データ群を第１の記録媒体９ａに書き込む。
【００５８】
次に、ステップＳ２０８で、対応付け情報印刷手段１５を用いて、第１の記録媒体９ａの所定の位置（例えば、レーベル面）に、この第１の記録媒体９ａと後に作成する第２の記録媒体９ｂとを対応付けるための対応付け情報を印刷する。この対応付け情報の具体的構成は限定されず、第１の実施例と同様に、図１７（ｃ）に示すように、予め定められたルールに従って生成される識別情報などの文字情報を利用してもよいし、文字情報に代えて又は文字情報と共に、サムネイル画像データに基づく画像やイラストなどの画像情報を利用してもよい。また、第１の記録媒体９ａに直接印刷する代わりに対応付け情報を記載したシールやインデックスプリントなどを印刷してもよい。その後、ステップＳ２０９で第１の記録媒体９ａを記録媒体装填部４から排出する。
【００５９】
次に、ステップＳ２１０で、記録媒体装填部４にＣＤ−Ｒ／ＲＷやＤＶＤ±Ｒ／ＲＷ、ＤＶＤ−ＲＡＭ、Ｂｌｕ−ｒａｙディスクなどの第２の記録媒体９ｂを装填する。なお、この第２の記録媒体９ｂは、第１の記録媒体９ａと同じ種類の記録媒体を用いてもよいし、異なる種類の記録媒体を用いてもよい。
【００６０】
次に、第１の記録媒体９ａと同様に、所定の識別情報が書き込まれている記録媒体のみを用いる場合は、ステップＳ２１１で、第２の記録媒体９ｂの特定の領域（好ましくは論理アドレス領域外）から識別情報を読み出す。
【００６１】
次に、所定の識別情報が記録されている場合は、ステップＳ２１２で、データ生成手段１３を用いて、読み取った画像データに基づいて動画データを生成した後、該動画データをＤＶＤプレーヤやＤＶＤレコーダ、ＨＤＤレコーダ、ゲーム機等の画像再生機器３０で再生可能なデータ（Ｖｉｄｅｏ−ＣＤ形式、ＤＶＤ−Ｖｉｄｅｏ形式、ＨＤＴＶ形式などのデータ）に変換する。
【００６２】
その後、第２の記録媒体９ｂにデータを書き込むが、本実施例では、第２の記録媒体９ｂは画像再生機器で使用することを前提としているため、ステップＳ２１３で、データ記録手段１４を用いて、生成された画像再生機器用データや関連付けファイル等の画像再生機器用データ群のみを第２の記録媒体９ｂに書き込む。
【００６３】
そして、ステップＳ２１４で、対応付け情報印刷手段１５を用いて、図１７（ｄ）に示すように第２の記録媒体９ａの所定の位置（例えば、レーベル面）に、第１の記録媒体９ａに印刷した対応付け情報と同じ又はその対応関係が明確な対応付け情報を印刷する。その後、ステップＳ２１５で第２の記録媒体９ｂを記録媒体装填部４から排出して処理を終了する。
【００６４】
上記手順で作成された第１の記録媒体９ａ及び第２の記録媒体９ｂの記録面には図１７（ａ）、（ｂ）に示すように異なるデータが記録される。また、第１の記録媒体９ａ及び第２の記録媒体９ｂにおけるデータの記録構造も任意であり、例えば、図１８に示すように、第１の記録媒体９ａには、”PS_Roll”フォルダ内の画像データ、サムネイル画像データ、スクリーンネイル画像データなどの複数の種別の画像データ（画像データ群）と、記録媒体９の識別情報などが記録された情報ファイル（info.txt）、”APPL”フォルダ内のスライドショープログラム、スライドショーの設定ファイル、自動起動ファイル（Autorun.inf）などの他のデータ群とで構成されるコンピュータ機器用データ群が記録され、第２の記録媒体９ｂには、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成される画像再生機器用データ群が記録される。
【００６５】
また、本実施例においても、予め定められたルールに従ってフォルダを構成し、そのフォルダや画像データにユニークな名称を付与することが好ましく、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx）を作成したり、各々の画像データをCCYYMMDDxxxxxxなどにリネームすることができる。
【００６６】
なお、図１５は記録装置１に記録媒体装填部４を１つ備える場合の手順であるが、記録媒体装填部４を複数備える場合には、第１の記録媒体９ａに対する処理と第２の記録媒体９ｂに対する処理とを同時に行うことができるため、複数の記録媒体の作成に要する時間を短縮することができる。その場合のデータの記録手順について図１６のフローチャート図を参照して概説する。
【００６７】
まず、ステップＳ３０１で、表示手段５に図１９に示すような選択画面１７ｂを表示し、ユーザが複数の記録媒体に異なるデータを記録する形態（図の専用ディスクを１枚ずつ作る）を選択した場合は、ステップＳ３０２で、複数の記録媒体装填部４の各々に、第１の記録媒体９ａ又は第２の記録媒体９ｂを装填する。そして、ステップＳ３０３で、第１の記録媒体９ａ及び第２の記録媒体９ｂの特定の領域（好ましくは論理アドレス領域外）から識別情報を読み出し、所定の識別情報が記録されている場合は、ステップＳ３０４で、メディア装填部２にメディア８を装填、又は、機器接続部３にデジタルカメラ７やカメラ付き携帯電話機７ａを接続、又はネットワーク接続部を通信ネットワーク１０に接続し、ステップＳ３０５で、データ入力手段１２を用いて、デジタルカメラ７やメディア８、サーバ１１から画像データを読み取る。
【００６８】
次に、第１の記録媒体９ａに対しては、ステップＳ３０６で、必要に応じて、データ生成手段１３を用いて、読み取った画像データのデータサイズを縮小したサムネイル画像データやスクリーンネイル画像データなどの縮小画像データを作成した後、ステップＳ３０７で、データ記録手段１４を用いて、オリジナル画像データや必要に応じて縮小画像データや情報ファイル、音楽データなどのコンピュータ機器用データ群を書き込む。そして、ステップＳ３０８で、対応付け情報印刷手段１５を用いて、第１の記録媒体９ａの所定の位置に対応付け情報を印刷した後、ステップＳ３０９で第１の記録媒体９ａを記録媒体装填部４から排出する。
【００６９】
一方、第２の記録媒体９ｂに対しては、ステップＳ３１０で、データ生成手段１３を用いて、読み取った画像データに基づいて動画データを生成した後、該動画データを画像再生機器３０で再生可能な形式のデータに変換する。ここで、図１５では、記録媒体装填部４が１つであったため、第１の記録媒体９ａを排出するまでは第２の記録媒体９ｂに対する処理を行うことができず、特に、画像データに基づいて画像再生機器用データを生成する処理は時間がかかるため、複数の記録媒体を作成するのに時間がかかるという問題があった。しかしながら、記録媒体装填部４を複数備えている場合は、ステップＳ３０６の縮小画像データの生成やステップＳ３０７のコンピュータ機器用データ群の記録、ステップＳ３０８の対応付け情報の印刷の各処理の間に、画像再生機器用データの生成処理を行うことができるため、複数の記録媒体の作成に要する時間を短縮することができる。
【００７０】
その後、ステップＳ３１１で、データ記録手段１４を用いて、生成された画像再生機器用データや関連付けファイル等の画像再生機器用データ群を第２の記録媒体９ｂに書き込み、ステップＳ３１２で、対応付け情報印刷手段１５を用いて、第２の記録媒体９ｂの所定の位置に対応付け情報を印刷した後、ステップＳ３１３で第２の記録媒体９ｂを記録媒体装填部４から排出して一連の処理を終了する。
【００７１】
なお、上記フローでは、第１の記録媒体９ａにコンピュータ機器用データ群を記録し、第２の記録媒体９ｂに画像再生機器用データ群を記録したが、本実施例は双方の記録媒体に異なるデータが記録されていればよく、例えば、第１の記録媒体９ａ又は第２の記録媒体９ｂの一方に、コンピュータ機器用データ群と画像再生機器用データ群の双方を記録し、第１の記録媒体９ａ又は第２の記録媒体９ｂの他方に、コンピュータ機器用データ群又は画像再生機器用データ群の一方を記録する構成としてもよい。
【００７２】
このように、本実施例の記録装置１では、複数の記録媒体（第１の記録媒体９ａ及び第２の記録媒体９ｂ）に、異なるデータ（第１の記録媒体９ａにはコンピュータ機器用データ群、第２の記録媒体９ｂには画像再生機器用データ群）が記録されるため、記録媒体の記録容量を有効に使用すると共にデータの記録時間を短縮して効率的に記録媒体を作成することができる。また、第１の実施例と同様に、複数の記録媒体の各々には、所定の対応付け情報が目視できるように付加されているため、頻繁に記録媒体を作成する場合であっても、所望の記録媒体を簡単に探し出すことができる。
【００７３】
なお、上記各実施例では、画像再生機器用のデータを追記する場合について記載したが、本発明は上記実施例に限定されるものではなく、音楽データなどの他の種類のデータに関しても、同様に適用することができる。
【図面の簡単な説明】
【００７４】
【図１】本発明の第１の実施例に係る記録装置の外観構成を示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の構成を示すブロック図である。
【図７】本発明の第１の実施例に係る記録装置を用いた画像データの記録手順を示すフローチャート図である。
【図８】本発明の第１の実施例の記録媒体の構成を模式的に示す図である。
【図９】本発明の第１の実施例の記録媒体の構成を模式的に示す図である。
【図１０】本発明の第１の実施例の記録媒体におけるデータの記録領域を示す図である。
【図１１】記録媒体の構造を模式的に示す図である。
【図１２】本発明の第１の実施例の記録媒体におけるデータのフォルダ構造を示す図である。
【図１３】本発明の第１の実施例の記録装置の表示手段に表示される画面構成例を示す図である。
【図１４】本発明の第２の実施例に係る記録装置の外観構成を示す図である。
【図１５】本発明の第２の実施例に係る記録装置を用いた画像データの記録手順を示すフローチャート図である。
【図１６】本発明の第２の実施例に係る記録装置を用いた画像データの記録手順を示すフローチャート図である。
【図１７】本発明の第２の実施例に係る記録装置の外観構成を示す図である。
【図１８】本発明の第２の実施例の記録媒体におけるデータのフォルダ構造を示す図である。
【図１９】本発明の第２の実施例の記録装置の表示手段に表示される画面構成例を示す図である。
【符号の説明】
【００７５】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ生成手段
１４  データ記録手段
１５  対応付け情報印刷手段
１６  シール
１７ａ、１７ｂ  選択画面
２０  コンピュータ機器
３０  画像再生機器
１００  ポリカーボネート基板
１０１  有機色素層
１０２  反射層
１０３  保護層
【図１】
2006024308.tif 000003
【図２】
2006024308.tif 000004
【図３】
2006024308.tif 000005
【図４】
2006024308.tif 000006
【図５】
2006024308.tif 000007
【図６】
2006024308.tif 000008
【図７】
2006024308.tif 000009
【図８】
2006024308.tif 000010
【図９】
2006024308.tif 000011
【図１０】
2006024308.tif 000012
【図１１】
2006024308.tif 000013
【図１２】
2006024308.tif 000014
【図１３】
2006024308.tif 000015
【図１４】
2006024308.tif 000016
【図１５】
2006024308.tif 000017
【図１６】
2006024308.tif 000018
【図１７】
2006024308.tif 000019
【図１８】
2006024308.tif 000020
【図１９】
2006024308.tif 000021